(57)【特許請求の範囲】
【請求項１】
１辺の中心角が９０°の整数分の１となる正多角形板または円板の同形状、同サイズのもの３枚をそれらの中心が一致し、かつ互いに直交し、前記中心の周りに合計８個のコーナーレフレクターを形成するように組み合わせた形状のリフレクター部材を、前記正多角形板の対角線距離または前記円板の直径が内径とほぼ一致する球殻内に内蔵させ、
前記リフレクター部材の表面には、電磁波反射性を付与したことを特徴とする遊戯用ボール。
【請求項２】
前記リフレクター部材は、導電体、基材の表面に導電体を被覆したもの、網目が０．５ｍｍ以下の導電性の網体のいずれかであることを特徴とする請求項１に記載の遊戯用ボール。
【請求項３】
前記球殻はゴム質柔軟材であり、前記リフレクター部材は表面に導電性層が形成されたゴム質柔軟材であることを特徴とする請求項１に記載の遊戯用ボール。
【請求項４】
軽量柔軟材で、かつレーダ電磁波を透過する素材の球体をその中心を通るように水平方向に２分割し、さらに垂直方向に前記中心の周りに４等分することで得られる８等分体に対して、それらの外周面のうち球面以外の残りの３つの分割面それぞれに電磁波を反射させるための導電被覆を施し、かつ、前記８等分体の８体を、各分体の導電被覆の施された３つの分割面それぞれが上側又は下側と、右側と、左側とにそれぞれ隣接する他の３体の分体それぞれの導電被覆の施された分割面と互いに対面させ、中心の周りに合計８個のコーナーレフレクターを形成するように組み合わせて球体にし、各分体間を固着して成ることを特徴とする遊戯用ボール。
【請求項５】
前記８等分体の８体を組み合わせた球体の表面に柔軟な表皮を被せたことを特徴とする請求項４に記載の遊戯用ボール。
【発明の詳細な説明】
【技術分野】
【０００１】
本発明は、レーダ反射性を備えた遊戯用ボールに関する。
【背景技術】
【０００２】
子供が転がる遊戯用ボールを夢中で追いかけて車道に飛び出し、自動車事故に遭う痛ましい事件は後を絶たない。ボールの表面に光学的反射特性や蛍光性を持たせてヘッドライトの光に目立ちやすくすることで、薄暗い車道でもドライバがボールを早めに発見できるようにすることで、このような痛ましい事故を少しは減らすことができる。しかしながら、このようなドライバの視覚に訴える対策だけでは、十分遠方からボールを視認することは難しく、また視界不良の時には発見しづらい問題点があった。
【０００３】
近年、車載レーダが発達し、それを搭載している自動車も増加している。そこで、遊戯用ボールにレーダ反射性を持たせれば、小路や路地のような見通しの悪い道路からその遊戯用ボールが車道に転がり出てきた時に走行中の自動車の車載レーダによって十分遠方から検知できる。しかしながら、ボールの表面に導電性を持たせる程度ではレーダ断面積が小さくて車載レーダにとっては検知しにくい。そのため、遊戯用ボールに十分大きなレーダ断面積を付与する必要がある。しかし、車載レーダにて容易に検知できる十分に大きなレーダ断面積を有する遊戯用ボールは知られていない。
【０００４】
他方、例えば、船舶用救難用具として特開２０００−２８０９８０号公報（特許文献１）によれば、レーダ断面積の大きいリフレクターを内蔵させた黒球が知られている。しかしながら、この従来技術は、船舶用救難用具であり、遊戯用ボールとは技術分野が異なる。
【特許文献１】特開２０００−２８０９８０号公報
【発明の開示】
【発明が解決しようとする課題】
【０００５】
本発明は、上述した従来技術の課題に鑑みてなされたもので、車載レーダにて十分に遠方から検知が可能で、子供の安全に役立てることができる遊戯用ボールを提供することを目的とする。
【課題を解決するための手段】
【０００６】
本発明は、１辺の中心角が９０°の整数分の１となる正多角形板または円板の同形状、同サイズのもの３枚をそれらの中心が一致し、かつ互いに直交し、前記中心の周りに合計８個のコーナーレフレクターを形成するように組み合わせた形状のリフレクター部材を、前記正多角形板の対角線距離または前記円板の直径が内径とほぼ一致する球殻内に内蔵させ、前記リフレクター部材の表面には、電磁波反射性を付与した遊戯用ボールを特徴とする。
【０００７】
上記発明の遊戯用ボールでは、前記リフレクター部材は、導電体、基材の表面に導電体
を被覆したもの、網目が０．５ｍｍ以下の導電性の網体のいずれかとすることができる。
【０００８】
また、上記発明の遊戯用ボールでは、前記球殻がゴム質柔軟材であり、前記リフレクター部材が表面に導電性層が形成されたゴム質柔軟材とすることができる。
【０００９】
本発明はまた、軽量柔軟材で、かつレーダ電磁波を透過する素材の球体をその中心を通るように水平方向に２分割し、さらに垂直方向に前記中心の周りに４等分することで得られる８等分体に対して、それらの外周面のうち球面以外の残りの３つの分割面それぞれに電磁波を反射させるための導電被覆を施し、かつ、前記８等分体の８体を、各分体の導電被覆の施された３つの分割面それぞれが上側又は下側と、右側と、左側とにそれぞれ隣接する他の３体の分体それぞれの導電被覆の施された分割面と互いに対面させ、中心の周りに合計８個のコーナーレフレクターを形成するように組み合わせて球体にし、各分体間を固着した遊戯用ボールを特徴とする。
【００１０】
上記発明の遊戯用ボールでは、前記８等分体の８体を組み合わせた球体の表面に柔軟な表皮を被せたものとすることができる。
【発明の効果】
【００１１】
本発明によれば、表面に電磁波反射性の付与された１辺の中心角が９０°の整数分の１となる正多角形板または円板の同サイズのもの３枚をそれらの中心が一致し、かつ互いに直交するように組み合わせた形状のリフレクター部材を球殻に内蔵させているので、レーダ断面積が大きい８つのコーナーリフレクターを球殻に内蔵させたボールとすることができ、車載レーダにて容易に検知できる十分に大きなレーダ断面積を有する遊戯用ボールを実現できる。
【００１２】
また、本発明によれば、球体の８等分体をその球面を残した３つの分割面それぞれに導電被覆を施し、かつ、その８体を組み合わせて球体にしているので、レーダ断面積が大きい８つのコーナーリフレクターを球殻に内蔵させたボールとすることができ、車載レーダにて容易に検知できる十分に大きなレーダ断面積を有する遊戯用ボールを実現でき、しかも、８等分体を８体組み合わせることでボールとすることができ、その製造が容易である。
【発明を実施するための最良の形態】
【００１３】
以下、本発明の実施の形態を図に基づいて詳説する。
【００１４】
（第１の実施の形態）図１、図２を用いて、本発明の第１の実施の形態の遊戯用ボール１を示している。本実施の形態の遊戯用ボール１は、１辺の中心角が９０°の整数分の１となる正多角形板１１Ａ，１１Ｂ，１１Ｃとして正方形板の同サイズのもの３枚をそれらの中心が一致し、かつ互いに直交するように組み合わせた形状のリフレクター部材１２をその対角線距離が内径とほぼ一致する球殻１３内に内蔵させて成っている。
【００１５】
リフレクター部材１２は金属製板材、導電性樹脂製板材、若しくはそれらの０．５ｍｍ程度以下の網目の網体、あるいは布若しくはゴム柔軟材の表面にアルミニウム箔を貼り付け、導電性塗料を塗布し、あるいは蒸着その他の方法にて導電性膜を被着して電磁波反射性を有するようにしたものである。これにより、３枚の正多角形板１１Ａ，１１Ｂ，１１Ｃによって図１、図２において上側、下側それぞれに垂直軸の周りに９０度ずつずれて４個のコーナーリフレクター１２Ａ，１２Ｂ，１２Ｃ，…が形成される。
【００１６】
尚、リフレクター部材１２は最終的に３枚の正多角形板１１Ａ，１１Ｂ，１１Ｃが互いに直交するように組み上がった形態となっていればよいのであって、多数の部品を繋ぎ合わせることで図示のような形状となればその部品構成が特に限定されることはない。例えば、上記４つのコーナーリフレクター１２Ａ，１２Ｂ，１２Ｃ，１２Ｄに相当する部材を図１のように配置してそれぞれを連結した構成や、水平な１枚の正多角形板１１Ｃとして正方形板の表裏それぞれに４枚ずつ二等辺直角三角形状のリフレクター板を互いに直角をなすように配置して連結した構成でも可能である。
【００１７】
球殻１３は、子供が遊戯にて使えるような素材、例えば、ゴム柔軟材、プラスチック柔軟材製である。この球殻１３に対して、内部にリフレクター部材１２をその６頂点それぞれに連結した固定紐１５を球殻１３の内面の対応する６箇所それぞれに設けた接着片１６に接続することで宙吊り状態で保持している。そこで、本実施の形態の遊戯用ボール１では、球殻１３に空気を充填して球形に膨らますと、図１に示したように内部でリフレクター部材１２が宙吊り状態で支持される。
【００１８】
本実施の形態の遊戯用ボール１によれば、次のような利点がある。例えば、直径２０ｃｍのサッカーボールのサイズにすれば、リフレクター部材１２は５０ｍ２（周波数７６ＧＨｚ）程度のレーダ断面積が得られる。この値は、中型オートバイを後方からレーダで見たときのレーダ断面積とほぼ等しい。また、直径１０ｃｍのソフトボールのサイズにすれば、リフレクター部材１２は７ｍ２（周波数７６ＧＨｚ）程度のレーダ断面積が得られる。これから、サッカーボールサイズでは車載レーダにて１００ｍ程度離れた地点から捕捉が可能であり、またソフトボールサイズでも６０ｍ程度離れた地点から捕捉が可能である。しかもコーナーリフレクター１２Ａ，１２Ｂ，１２Ｃ，…を上下それぞれに等角度ずつずれるようにして８体内蔵した構造なので、回転姿勢がどのような状態であっても、レーダ捕捉が可能である。
【００１９】
尚、本発明において、球殻１３に内蔵させるリフレクター部材１２は、図３のように正多角形板として正八角形板２１Ａ，２１Ｂ，２１Ｃの３枚をそれらの中心が一致し、かつ互いに直交するように組み合わせたものを採用することもできる。あるいはさらに１２角形、１６角形のものを採用することもできる。また、リフレクター部材１２として、図４のように円板３１Ａ，３１Ｂ，３１Ｃの３枚をそれらの中心が一致し、かつ互いに直交するように組み合わせたものを採用することもできる。
【００２０】
（第２の実施の形態）図５を用いて、本発明の第２の実施の形態の遊戯用ボール１Ａについて説明する。本実施の形態の遊戯用ボール１Ａは、発泡スチロール、ゴム柔軟材、発泡ゴム等の軽量柔軟材で、かつレーダ電磁波を透過する素材にして、球体をその中心を通るように水平方向に２分割し、さらに垂直方向に４等分することで得られる８等分体４１の外表の球面を残して３つの分割面４２Ａ，４２Ｂ，４２Ｃそれぞれに導電被覆４３を施し、かつ、８等分体４１の８体を組み合わせて球体にし、柔軟なプラスチックやゴム、皮の表皮４４を被せることでボールとしたものである。
【００２１】
本実施の形態の遊戯用ボール１Ａにあっても、第１の実施の形態と同様に、各８等分体４１の外表の球面を除いた残りの直交する３つの分割面４２Ａ，４２Ｂ，４２Ｃそれぞれに形成された導電被覆４３がコーナーリフレクターをなす。したがって、直径２０ｃｍのサッカーボールのサイズにすれば５０ｍ２（周波数７６ＧＨｚ）程度のレーダ断面積が得られ、直径１０ｃｍのソフトボールのサイズにすれば７ｍ２程度のレーダ断面積が得られる。しかも８等分体４１を８体内蔵した構造なので、回転姿勢がどのような状態であっても、レーダ捕捉が可能である。さらに、８体の８等分体４１を球形に組み、表皮４３を被せた構造なので製造が容易である利点がある。
【図面の簡単な説明】
【００２２】
【図１】本発明の第１の実施の形態の遊戯用ボールの一部破断せる斜視図。
【図２】上記実施の形態の遊戯用ボールに内蔵させたリフレクター部材の斜視図。
【図３】上記実施の形態の遊戯用ボールに内蔵させるリフレクター部材の変形例を示す斜視図。
【図４】上記実施の形態の遊戯用ボールに内蔵させるリフレクター部材の別の変形例を示す斜視図。
【図５】本発明の第２の実施の形態の遊戯用ボールの一部破断し、かつ、一部分解した斜視図。
【符号の説明】
【００２３】
１，１Ａ  遊戯用ボール
１１Ａ，１１Ｂ，１１Ｃ  正方形板
１２  リフレクター部材
１２Ａ，１２Ｂ，１２Ｃ，…  コーナーリフレクター
１３  球殻
４１  ８等分体
４２Ａ，４２Ｂ，４２Ｃ  分割面
４３  導電被覆
４４  表皮
【図１】
0005142366.tif 000002
【図２】
0005142366.tif 000003
【図３】
0005142366.tif 000004
【図４】
0005142366.tif 000005
【図５】
0005142366.tif 000006